(57)【要約】【課題】ネックのよじれを防止し、さらに好ましくは、容易に調弦可能な弦楽器を提供する。【解決手段】共鳴胴１とネック２と支柱３を備え、共鳴胴１とネック２との間に弦４が張られた弦楽器に、ネック２の下部に弦中間受止具７を設け、ネック２の一方側面に調弦具８を設けることを特徴とする。【選択図】図１
0003220796.tif 000002
【実用新案登録請求の範囲】
【請求項１】
共鳴胴（１）とネック（２）と支柱（３）を備え、前記共鳴胴（１）と前記ネック（２）との間に弦（４）が張られた弦楽器であって、
前記共鳴胴（１）の上面（９）に弦孔（５）が設けられ、
前記ネック（２）の一方側面に弦係止具（６）が設けられ、
前記ネック（２）の下部に弦中間受止具（７）が設けられ、
前記弦（４）の一方端が前記弦孔（５）を貫通して前記共鳴胴（１）内にて取り付けられ、前記弦（４）の他方端が前記弦係止具（６）に巻着されるとともに、前記弦（４）が前記弦中間受止具（７）を挿通していることを特徴とする弦楽器。
【請求項２】
前記ネック（２）の一方側面に調弦具（８）が設けられていることを特徴とする請求項１に記載の弦楽器。
【請求項３】
前記共鳴胴（１）とネック（２）と支柱（３）が杉製であることを特徴とする請求項１又は２に記載の弦楽器。
【請求項４】
前記弦楽器が小型のハープであることを特徴とする請求項１乃至３のいずれかに記載の弦楽器。
【考案の詳細な説明】
【技術分野】
【０００１】
本考案は、弦楽器に関する。
【背景技術】
【０００２】
従来より、ハープやギター等の弦楽器は、当該弦楽器に張られた弦の張力によって、当該弦楽器のネック等の部品がよじれてしまうという問題があった。特にハープ等の弦楽器は、弦の一方の先端側がネックの一方側面側に取り付けられる構造であり、当該ネックの一方側面側にのみ弦の張力が集中することから、ネックのよじれが発生し易いものとなっている。
【０００３】
また、弦楽器は、各弦の音律を調えるための調弦装置を備えているが、調律のための調弦装置は複雑な操作が必要であったり、また当該弦楽器を抱えたまま調弦操作を行うのは困難であるという問題があった。
【０００４】
例えば特許文献１は、弦楽器であるハープに関し、特に、小型軽量化を図っても、音量及び音質が損なわれることがないようにするための技術を開示している。
【０００５】
しかしながら、特許文献１は、弦楽器のよじれや、容易な調弦については、何ら言及していない。
【先行技術文献】
【特許文献】
【０００６】
【特許文献１】特開２００７−１７１６８２号公報
【考案の概要】
【考案が解決しようとする課題】
【０００７】
そこで、本考案の目的は、ネック等の部品のよじれが防止された弦楽器を提供することである。また、さらには、本考案の目的は、容易に調弦可能な弦楽器を提供することである。
【課題を解決するための手段】
【０００８】
上記目的を達成するために本考案は、共鳴胴（１）とネック（２）と支柱（３）を備え、前記共鳴胴（１）と前記ネック（２）との間に弦（４）が張られた弦楽器であって、前記共鳴胴（１）の上面（９）に弦孔（５）が設けられ、前記ネック（２）の一方側面に弦係止具（６）が設けられ、前記ネック（２）の下部に弦中間受止具（７）が設けられ、前記弦（４）の一方端が前記弦孔（５）を貫通して前記共鳴胴（１）内にて取り付けられ、前記弦（４）の他方端が前記弦係止具（６）に巻着されるとともに、前記弦（４）が前記弦中間受止具（７）を挿通していることを特徴とする弦楽器である。
【０００９】
また、本考案は好ましくは、前記ネック（２）の一方側面に調弦具（８）が設けられていることを特徴とする。
【００１０】
また、本考案は好ましくは、前記共鳴胴（１）とネック（２）と支柱（３）が杉製であることを特徴とする。
【００１１】
また、本考案は好ましくは、前記弦楽器が小型のハープであることを特徴とする。
【考案の効果】
【００１２】
本考案によれば、ネックの下部に弦中間受止具を設けたことから、ネックのよじれを防止することができる。
【００１３】
また、本考案の好ましい態様によれば、ネックの一方側面に調弦具を設けたことから、容易に調弦ができる。
【００１４】
また、本考案の好ましい態様によれば、共鳴胴とネックと支柱を杉の木で構成したことから、美しい杉の木の木目が弦楽器の外観を向上させることが可能になるとともに、経時変化により、杉の木に独特の光沢が発生し、弦楽器の外観をより一層向上させることができる。
【００１５】
また、本考案の好ましい態様によれば、弦楽器が小型のハープであることから、一般的には大型で高額なハープを手軽且つ気軽に楽しむことができる。
【図面の簡単な説明】
【００１６】
【図１】図１は、本考案の弦楽器の好ましい態様の一例を示す斜視図である。
【図２】図２は、本考案の弦楽器の好ましい態様の一例を示す側面図である。
【図３】図３は、本考案の弦係止具と調弦具の好ましい態様の一例を示す模式的な拡大側面図である。
【図４】図４は、本考案の弦係止具と調弦具の好ましい態様の一例を示す模式的な拡大略正面図である。
【図５】図は、本考案の弦中間受止具と調弦具の好ましい態様の一例を示す拡大図である。
【考案を実施するための形態】
【００１７】
以下、本考案の弦楽器について図面を参照しながら説明する。なお、実施形態を説明する全図において、共通の構成要素には同一の符号を付し、繰り返しの説明を省略する。
【００１８】
図１は、本考案の実施形態に係る弦楽器を示す斜視図である。
【００１９】
図１に示すように、本考案の弦楽器は、共鳴胴１とネック２と支柱３を備え、共鳴胴１とネック２との間に複数本の弦４が張られており、共鳴胴１の上面９には弦４の数と同数の弦孔５を備え、ネック２の一方側面には弦４と同数の弦係止具６を備え、ネック２の下部には弦４と同数の弦中間受止具７を備え、弦４の一方端が弦孔５を貫通して共鳴胴１内にて取り付けられ、弦４の他方端が弦係止具６に巻着されるとともに、弦４が弦中間受止具７を挿通している。
【００２０】
共鳴胴１は、中空の箱体であり、好ましくは例えば、図１に示すように、略斜長方錐、即ち、略斜錐である略長方錐の形状をしている。共鳴胴１は、好ましくは、１つ又は複数の図示しない共鳴孔を備えている。共鳴孔は、例えば、共鳴胴１の底面１２、左側面１０、右側面１１及び／又は背面１３に設けることができる。
【００２１】
共鳴胴１の上面９には、図１に示すように、複数個の弦孔５が設けられている。弦孔５は、上述の通り、通常、弦楽器に用いられる弦４の数と同じ数の弦孔５が設けられる。弦孔５は、弦４の一方端を共鳴胴１の内部に案内する機能を有する。
【００２２】
ネック２は、図１及び図２に示すように、共鳴胴１の上端部と支柱３の上端部に架けられる板状部材であり、ネック２の基部が共鳴胴１の上端部と接続し、ネック２の先端部が支柱３の上端部と接続している。ネック２の一方側面には、弦係止具６が設けてれている。また、ネック２の下部には、弦中間受止具７が設けられている。本考案の好ましい態様において、ネック２の一方側面には、さらに調弦具８が設けられている。
【００２３】
支柱３は、図１及び図２に示すように、共鳴胴１の上面９の下端付近から立ち上がり、ネック２の先端部と接続している。
【００２４】
共鳴胴１、ネック２及び支柱３は、例えば、木材で製造することができる。特に、共鳴胴１は、上面９、左側面１０、右側面１１、底面１２及び背面１３の全部又は一部を合板で製造することもできる。最も好ましくは、共鳴胴１、ネック２及び支柱３の全てを杉製とすることが望ましい。  
【００２５】
図１及び図２に示すように、複数本の弦４が、共鳴胴１とネック２の間に張られている。弦４としては、ガット、ナイロン製、スチール製、繊維製等のものを用いることができる。弦４の数は、特に限定されるものではないが、例えば、本考案の好ましい態様のように弦楽器が小型のハープである場合には、弦４の数は８〜３０本とすることが望ましい。
【００２６】
弦４の一方端は、図１に示すように、共鳴胴１の上面９に設けられた弦孔５を貫通して共鳴胴１の内部にて弦楽器に取り付けられる。取付方法は、特に限定されるものではないが、例えば、共鳴胴１内に設けられた弦繋着部材に繋着される。
【００２７】
弦４の他方端は、図１及び図２に示すように、ネック２の一方側面に設けられた弦係止具６に巻着される。弦係止具６は、上述の通り、通常、弦４と同じ数設けられている。弦係止具６は、例えば、ボルト、より具体的には六角穴付きボルトをネック２の一方側面に取り付けることにより設けることができる。また、弦係止具６として、ボルトだけではなく、ボルトとナットで構成することもできる。
【００２８】
図１、図２及び図５に示すように、弦４は、ネック２の下部に設けられた弦中間受止具７に挿通されている。上述の通り、弦中間受止具７は弦４と同数設けられている。弦中間受止具７は、例えば、弦４を挿通する孔が設けられた金属部材をボルトによって、ネック２の下部に取り付けることで構成することができる。
【００２９】
一方端が共鳴胴１内で取り付けられた弦４の他方端が、直接、弦係止具６に取り付けられるのではなく、弦中間受止具７を経由（挿通）して、弦係止具６に取り付けられる。例えば、従来のハープのように、弦の他方端がネックの一方側面に設けられた弦係止具に直接取り付けられる場合、弦の張力は、直接弦係止具、即ち、ネックの一方側面側に掛かるため、ネックが当該一方側面側によじれるおそれが生じる。しかしながら、本考案の弦中間受止具７が、ネック２の下部に設けられることにより、弦４の張力は、一旦、弦中間受止具７、即ち、ネック２の下部に掛かるため、ネック２の左右いずれかの方向にネック２がよじれるおそれはない。
【００３０】
本考案の好ましい態様において設けられる調弦具８は、図１及び図２に示すように、ネック２の一方側面に設けられる。ネックの２の一方側面とは、弦係止具６が設けられるネック２の側面と同じ面である。
【００３１】
図３、図４及び図５を用いて、本考案の調弦具８をさらに説明する。
図３は、弦係止具６と調弦具８の好ましい態様の一例を示す模式的な拡大側面図であり、弦係止具６と調弦具８を正面から見た図である。
図４は、弦係止具６と調弦具８の好ましい態様の一例を示す模式的な拡大略正面図であり、弦係止具６と調弦具８を横から見た図である。
図５は、弦係止具６と調弦具８の好ましい態様の一例を示す拡大図である。
【００３２】
図３乃至図５に示すように、調弦具８は、例えば、略立方体の基体８１と基体８１の上部に設けられるつまみ部材８２とからなる木製の部材である。基体８１には貫通孔８３が設けられており、弦４が貫通孔８３に挿通されている。なお、調弦具８の形状や材質は、特に限定されるものではなく、貫通孔を備え一定の高さを有するものであればよく、例えば、貫通孔が設けられた球状のビーズ等、様々なものを調弦具８として利用することができる。
【００３３】
図１及び図２に示すように、調弦具８は、弦係止具６と弦中間受止具７の間に設けられている。調弦具８は、弦係止具６と弦中間受止具７の間に位置する弦４の部位に沿って移動可能に設けられている。調弦具８が弦係止具６と弦中間受止具７の間を移動することによって、貫通孔８３に挿通された弦４の張力は変更される。調弦具８を弦係止具６方向に移動させると、弦４は緩み、その張力は弱まることから、弦４から発せられる音は低音となる。逆に、調弦具８を弦中間受止具７方向に移動させると、弦４はより張って、その張力が強まることから、弦４から発せられる音は高音となる。このように、本考案の弦楽器は、好ましくは、調弦具８を貫通孔８３に挿通された弦４に沿って移動させるだけで調律を行うことができる。
【００３４】
本考案の弦楽器は、好ましくはハープであり、より好ましくは小型のハープである。ここで、小型のハープは、上述したように、弦４を好ましくは８〜３０本備え、弦楽器を上半身で抱えることができ、片手で容易に把持できる程度の大きさのものである。
【００３５】
以上のように、本考案によれば、ネックの下部に弦中間受止具を設けたことから、ネックのよじれを防止することができる。また、本考案の好ましい態様によれば、ネックの一方側面に調弦具を設けたことから、容易に調弦ができる。
【符号の説明】
【００３６】
１    共鳴胴
２    ネック
３    支柱
４    弦
５    弦孔
６    弦係止具
７    弦中間受止具
８    調弦具
８１  基体
８２  つまみ部材
８３  貫通孔
９    上面
１０  左側面
１１  右側面
１２  底面
１３  背面
【図１】
0003220796.tif 000003
【図２】
0003220796.tif 000004
【図３】
0003220796.tif 000005
【図４】
0003220796.tif 000006
【図５】
0003220796.tif 000007